(57)【要約】【課題】野菜室を冷凍保存温度まで低下させることができる冷蔵庫を提供するものである。【解決手段】野菜室３を冷凍保存モードに切り替えた時に、Ｒエバ１８を冷凍保存温度に対応した蒸発器温度まで冷却し、かつ、Ｒダンパ９によって冷蔵室２内部の庫内温度を冷蔵保存温度に対応するように調整し、野菜室３の野菜保存モードに切り替えた時には、Ｒエバ１８を冷蔵保存温度に対応した蒸発器温度まで冷却するものである。【選択図】　　　　図１
2004077058.tif 000002
【特許請求の範囲】
【請求項１】
少なくとも冷蔵室、野菜室、冷凍室を有する冷蔵庫において、
コンプレッサ、凝縮器、切替手段が順次接続され、この切替手段には、冷蔵室用蒸発器と冷凍室用蒸発器とが、各々絞り機構を介して並列に接続された冷凍サイクルを有し、
前記冷蔵室用蒸発器、または、前記冷凍室用蒸発器への冷媒流路を前記切替手段によって交互に切替えることによって、前記冷蔵室と前記野菜室とを冷却する冷蔵冷却モードと前記冷凍室を冷却する冷凍冷却モードを交互に行う制御手段を有し、
前記冷蔵室用蒸発器から前記冷蔵室へ送る冷気の流量を調整する冷蔵室用ダンパを有し、
前記制御手段は、前記野菜室の庫内設定温度を冷凍保存温度に切り替えたときに、前記冷蔵室用蒸発器を前記冷凍保存温度に対応した蒸発器温度まで冷却し、かつ、前記冷蔵室用ダンパによって前記冷蔵室内部の庫内温度を冷蔵保存温度に対応するように調整する
ことを特徴とする冷蔵庫。
【請求項２】
少なくとも冷蔵室、野菜室、冷凍室を有する冷蔵庫において、
コンプレッサ、凝縮器、切替手段が順次接続され、この切替手段には、冷蔵室用蒸発器と冷凍室用蒸発器とが、各々絞り機構を介して並列に接続された冷凍サイクルを有し、
前記冷蔵室用蒸発器、または、前記冷凍室用蒸発器への冷媒流路を前記切替手段によって交互に切替えることによって、前記冷蔵室を冷却する冷蔵冷却モードと前記冷凍室と前記野菜室とを冷却する冷凍冷却モードを交互に行う制御手段を有し、
前記冷凍室用蒸発器から前記野菜室へ送る冷気の流量を調整する野菜室用ダンパを有し、
前記制御手段は、前記野菜室の庫内設定温度を冷凍保存温度に切り替えたときに、前記野菜室用ダンパによって前記冷凍保存温度に対応するように調整し、また、前記野菜室の庫内設定温度を野菜保存温度に切り替えたときに、前記野菜室用ダンパによって前記野菜保存温度に対応するように調整する
ことを特徴とする冷蔵庫。
【請求項３】
少なくとも冷蔵室、野菜室、冷凍室を有する冷蔵庫において、
コンプレッサ、凝縮器、切替手段が順次接続され、この切替手段には、冷蔵室用蒸発器と冷凍室用蒸発器とが、各々絞り機構を介して並列に接続された冷凍サイクルを有し、
前記冷蔵室用蒸発器、または、前記冷凍室用蒸発器への冷媒流路を前記切替手段によって交互に切替えることによって、前記冷蔵室を冷却する冷蔵冷却モードと前記冷凍室を冷却する冷凍冷却モードを交互に行う制御手段を有し、
前記冷蔵室用蒸発器から前記野菜室へ送る冷気の流量を調整する第１野菜室用ダンパと、前記冷凍室用蒸発器から前記野菜室へ送る冷気の流量を調整する第２野菜室用ダンパを有し、
前記制御手段は、前記野菜室の庫内設定温度を冷凍保存温度に切り替えたときに、前記第１野菜室用ダンパを閉状態になし、前記第２野菜室用ダンパによって前記冷凍保存温度に対応するように調整し、また、前記野菜室の庫内設定温度を野菜保存温度に切り替えたときに、前記第１野菜室用ダンパによって前記野菜保存温度に対応するように調整し、前記第２野菜室用ダンパを閉状態にする
ことを特徴とする冷蔵庫。
【請求項４】
少なくとも冷蔵室、野菜室、冷凍室を有する冷蔵庫において、
コンプレッサ、凝縮器、切替手段が順次接続され、この切替手段には、冷蔵室用蒸発器と冷凍室用蒸発器とが、各々絞り機構を介して並列に接続され、前記冷蔵室用蒸発器には野菜室用絞り機構を介して野菜室用蒸発器が接続された冷凍サイクルを有し、
前記冷蔵室用蒸発器、または、前記冷凍室用蒸発器への冷媒流路を前記切替手段によって交互に切替えることによって、前記冷蔵室と前記野菜室とを冷却する冷蔵冷却モードと前記冷凍室を冷却する冷凍冷却モードを交互に行う制御手段を有し、
前記制御手段は、前記野菜室の庫内設定温度を野菜保存温度に切り替えたときに、前記野菜室用絞り機構を全開にして前記野菜室用蒸発器を前記野菜保存温度に対応した蒸発器温度まで冷却し、前記野菜室の庫内設定温度を冷凍保存温度に切り替えたときに、前記野菜室用絞り機構を絞り前記野菜室用蒸発器を前記冷凍保存温度に対応した蒸発器温度まで冷却する
ことを特徴とする冷蔵庫。
【請求項５】
少なくとも冷蔵室、野菜室、冷凍室を有する冷蔵庫において、
二段圧縮コンプレッサの高圧側吐出口と凝縮器が接続され、
前記凝縮器に冷媒流路の切替手段が接続され、
前記切替手段の第１の出口が第１絞り機構、冷蔵室用蒸発器を経て気液分離手段に接続され、
前記気液分離手段のガス出口が中間圧サクションパイプを経て二段圧縮コンプレッサの中間圧側吸込口と接続され、
前記気液分離手段の液出口が第２絞り機構の一端に接続され、
前記切替手段の第２の出口がバイパス絞り機構の一端に接続され、
前記第２絞り機構の他端と前記バイパス絞り機構の他端が冷凍室用蒸発器に接続され、
前記冷凍室用蒸発器が低圧サクションパイプを経て二段圧縮コンプレッサの低圧側吸込口に接続された冷凍サイクルを有し、
前記冷蔵室用蒸発器、または、前記冷凍室用蒸発器への冷媒流路を前記切替手段によって交互に切替えることによって、前記冷蔵室と前記野菜室とを冷却する冷蔵冷却モードと前記冷凍室を冷却する冷凍冷却モードを交互に行う制御手段を有し、
前記冷蔵室用蒸発器から前記冷蔵室へ送る冷気の流量を調整する冷蔵室用ダンパを有し、
前記制御手段は、前記野菜室の庫内設定温度を冷凍保存温度に切り替えたときに、前記冷蔵室用蒸発器を前記冷凍保存温度に対応した蒸発器温度まで冷却し、かつ、前記冷蔵室用ダンパによって前記冷蔵室内部の庫内温度を冷蔵保存温度に対応するように調整する
ことを特徴とする冷蔵庫。
【請求項６】
少なくとも冷蔵室、野菜室、冷凍室を有する冷蔵庫において、
二段圧縮コンプレッサの高圧側吐出口と凝縮器が接続され、
前記凝縮器に冷媒流路の切替手段が接続され、
前記切替手段の第１の出口が第１絞り機構、冷蔵室用蒸発器を経て気液分離手段に接続され、
前記気液分離手段のガス出口が中間圧サクションパイプを経て二段圧縮コンプレッサの中間圧側吸込口と接続され、
前記気液分離手段の液出口が第２絞り機構の一端に接続され、
前記切替手段の第２の出口がバイパス絞り機構の一端に接続され、
前記第２絞り機構の他端と前記バイパス絞り機構の他端が冷凍室用蒸発器に接続され、
前記冷凍室用蒸発器が低圧サクションパイプを経て二段圧縮コンプレッサの低圧側吸込口に接続された冷凍サイクルを有し、
前記冷蔵室用蒸発器、または、前記冷凍室用蒸発器への冷媒流路を前記切替手段によって交互に切替えることによって、前記冷蔵室を冷却する冷蔵冷却モードと前記冷凍室と前記野菜室とを冷却する冷凍冷却モードを交互に行う制御手段を有し、
前記冷凍室用蒸発器から前記野菜室へ送る冷気の流量を調整する野菜室用ダンパを有し、
前記制御手段は、前記野菜室の庫内設定温度を冷凍保存温度に切り替えたときに、前記野菜室用ダンパによって前記冷凍保存温度に対応するように調整し、また、前記野菜室の庫内設定温度を野菜保存温度に切り替えたときに、前記野菜室用ダンパによって前記野菜保存温度に対応するように調整する
ことを特徴とする冷蔵庫。
【請求項７】
少なくとも冷蔵室、野菜室、冷凍室を有する冷蔵庫において、二段圧縮コンプレッサの高圧側吐出口と凝縮器が接続され、
前記凝縮器に冷媒流路の切替手段が接続され、
前記切替手段の第１の出口が第１絞り機構、冷蔵室用蒸発器を経て気液分離手段に接続され、
前記気液分離手段のガス出口が中間圧サクションパイプを経て二段圧縮コンプレッサの中間圧側吸込口と接続され、
前記気液分離手段の液出口が第２絞り機構の一端に接続され、
前記切替手段の第２の出口がバイパス絞り機構の一端に接続され、
前記第２絞り機構の他端と前記バイパス絞り機構の他端が冷凍室用蒸発器に接続され、
前記冷凍室用蒸発器が低圧サクションパイプを経て二段圧縮コンプレッサの低圧側吸込口に接続された冷凍サイクルを有し、
前記冷蔵室用蒸発器、または、前記冷凍室用蒸発器への冷媒流路を前記切替手段によって交互に切替えることによって、前記冷蔵室を冷却する冷蔵冷却モードと前記冷凍室を冷却する冷凍冷却モードを交互に行う制御手段を有し、
前記冷蔵室用蒸発器から前記野菜室へ送る冷気の流量を調整する第１野菜室用ダンパと、前記冷凍室用蒸発器から前記野菜室へ送る冷気の流量を調整する第２野菜室用ダンパを有し、
前記制御手段は、前記野菜室の庫内設定温度を冷凍保存温度に切り替えたときに、前記第１野菜室用ダンパを閉状態になし、前記第２野菜室用ダンパによって前記冷凍保存温度に対応するように調整し、また、前記野菜室の庫内設定温度を野菜保存温度に切り替えたときに、前記第１野菜室用ダンパによって前記野菜保存温度に対応するように調整し、前記第２野菜室用ダンパを閉状態にする
ことを特徴とする冷蔵庫。
【請求項８】
少なくとも冷蔵室、野菜室、冷凍室を有する冷蔵庫において、
二段圧縮コンプレッサの高圧側吐出口と凝縮器が接続され、
前記凝縮器に冷媒流路の切替手段が接続され、
前記切替手段の第１の出口が少なくとも第１絞り機構、冷蔵室用蒸発器を経て気液分離手段に接続され、
前記気液分離手段のガス出口が中間圧サクションパイプを経て二段圧縮コンプレッサの中間圧側吸込口と接続され、
前記気液分離手段の液出口が第２絞り機構の一端に接続され、
前記切替手段の第２の出口がバイパス絞り機構の一端に接続され、
前記第２絞り機構の他端と前記バイパス絞り機構の他端が冷凍室用蒸発器に接続され、
前記冷凍室用蒸発器が低圧サクションパイプを経て二段圧縮コンプレッサの低圧側吸込口に接続された冷凍サイクルを有し、
また、前記冷凍サイクルは、野菜室用絞り機構と野菜室用蒸発器とを有し、
前記冷蔵室用蒸発器、または、前記冷凍室用蒸発器への冷媒流路を前記切替手段によって交互に切替えることによって、前記冷蔵室と前記野菜室とを冷却する冷蔵冷却モードと前記冷凍室を冷却する冷凍冷却モードを交互に行う制御手段を有し、
前記制御手段は、前記野菜室の庫内設定温度を野菜保存温度に切り替えたときに、前記野菜室用絞り機構を全開にして前記野菜室用蒸発器を前記野菜保存温度に対応した蒸発器温度まで冷却し、前記野菜室の庫内設定温度を冷凍保存温度に切り替えたときに、前記野菜室用絞り機構を絞り前記野菜室用蒸発器を前記冷凍保存温度に対応した蒸発器温度まで冷却する
ことを特徴とする冷蔵庫。
【請求項９】
少なくとも冷蔵室、野菜室、冷凍室を有する冷蔵庫において、
二段圧縮コンプレッサの高圧側吐出口と凝縮器が接続され、
前記凝縮器に冷媒流路の切替手段が接続され、
前記切替手段の第１の出口が少なくとも第１絞り機構、冷蔵室用蒸発器を経て気液分離手段に接続され、
前記気液分離手段のガス出口が中間圧サクションパイプを経て二段圧縮コンプレッサの中間圧側吸込口と接続され、
前記気液分離手段の液出口が第２絞り機構の一端に接続され、
前記切替手段の第２の出口がバイパス絞り機構の一端に接続され、
前記第２絞り機構の他端と前記バイパス絞り機構の他端が冷凍室用蒸発器に接続され、
前記冷凍室用蒸発器が低圧サクションパイプを経て二段圧縮コンプレッサの低圧側吸込口に接続された冷凍サイクルを有し、
また、前記冷凍サイクルは、野菜室用絞り機構と野菜室壁面冷却用蒸発器とを有し、
前記冷蔵室用蒸発器、または、前記冷凍室用蒸発器への冷媒流路を前記切替手段によって交互に切替えることによって、前記冷蔵室と前記野菜室とを冷却する冷蔵冷却モードと前記冷凍室を冷却する冷凍冷却モードを交互に行う制御手段を有し、
前記制御手段は、前記野菜室の庫内設定温度を野菜保存温度に切り替えたときに、前記野菜室用絞り機構を全開にして前記野菜室壁面冷却用蒸発器を前記野菜保存温度に対応した蒸発器温度まで冷却し、前記野菜室の庫内設定温度を冷凍保存温度に切り替えたときに、前記野菜室用絞り機構を絞り前記野菜室壁面冷却用蒸発器を前記冷凍保存温度に対応した蒸発器温度まで冷却する
ことを特徴とする冷蔵庫。
【発明の詳細な説明】
【０００１】
【発明の属する技術分野】
本発明は、冷蔵室用蒸発器と冷凍室用蒸発器を少なくとも有する冷蔵庫に関するものである。
【０００２】
【従来の技術】
１つの蒸発器で冷蔵室、冷凍室、野菜室の３つの部屋を冷気の分配状態を制御して一定温度に保つファンクール冷却方法では、冷凍室を−１８℃以下に冷やすために、必ず蒸発器温度はそれ以下の温度となる。
【０００３】
よって、冷蔵室や野菜室の保存食品を冷却する空気の相対湿度は低くなる。例えば、冷蔵室の冷蔵温度が２℃の場合には５０％の相対湿度となる。
【０００４】
これにより、一定温度に温度を保つことはできるが、保存した食品からの水分蒸発は比較的大きく、食品の長期保存には限界がある。そこで、ユーザは食品にラップをしたり、密封容器に収納して、食品からの水分の蒸発を防ぐ対策が必要となる。
【０００５】
【発明が解決しようとする課題】
このような冷蔵室の保存性の不具合を改善する方法としては、冷蔵室や野菜室のような庫内温度の比較的高い部屋専用の蒸発器を備えるものが提案されている。
【０００６】
この冷蔵室用蒸発器（以下、単にＲエバという）を比較的高い蒸発器温度にすること、冷凍室用蒸発器（以下、Ｆエバという）とＲエバを切り替えて冷却制御するタイムシェアの交互冷却運転にすることにより、低温度冷却時にＲエバに付着した水分を再蒸発させて冷蔵室や野菜室に送り返す制御を行うことで、冷蔵室の湿度を７０％以上の高湿度化して、食品からの水分蒸発量を低減して保存性を高めている。
【０００７】
また、コンプレッサには、二段圧縮を行う二段圧縮コンプレッサがあり、この二段圧縮コンプレッサを用いて、ＲエバとＦエバを同時に冷却することで、冷蔵室、野菜室、冷凍室に収納されている食品を一定温度で連続的に冷却することができ、また、冷蔵室の湿度を８０％の高湿で保存するものが提案されている。
【０００８】
一方、ユーザの食生活の多様化により、一度に沢山の食品を保存するニーズが増加し、冷凍室の容量を大きくする要望が高まってきている。このような冷凍室容量のアップは一時的な場合が多いことから、容量の大きい冷凍室を備えるようにするには、野菜室を切替室にして、冷凍保存温度まで冷却できることが望ましい。
【０００９】
そこで、本発明は、上記問題点に鑑み、野菜室を冷凍保存温度まで低下させることができる冷蔵庫を提供するものである。
【００１０】
【課題を解決するための手段】
請求項１の発明は、少なくとも冷蔵室、野菜室、冷凍室を有する冷蔵庫において、コンプレッサ、凝縮器、切替手段が順次接続され、この切替手段には、冷蔵室用蒸発器と冷凍室用蒸発器とが、各々絞り機構を介して並列に接続された冷凍サイクルを有し、前記冷蔵室用蒸発器、または、前記冷凍室用蒸発器への冷媒流路を前記切替手段によって交互に切替えることによって、前記冷蔵室と前記野菜室とを冷却する冷蔵冷却モードと前記冷凍室を冷却する冷凍冷却モードを交互に行う制御手段を有し、前記冷蔵室用蒸発器から前記冷蔵室へ送る冷気の流量を調整する冷蔵室用ダンパを有し、前記制御手段は、前記野菜室の庫内設定温度を冷凍保存温度に切り替えたときに、前記冷蔵室用蒸発器を前記冷凍保存温度に対応した蒸発器温度まで冷却し、かつ、前記冷蔵室用ダンパによって前記冷蔵室内部の庫内温度を冷蔵保存温度に対応するように調整することを特徴とする冷蔵庫である。
【００１１】
請求項２の発明は、少なくとも冷蔵室、野菜室、冷凍室を有する冷蔵庫において、コンプレッサ、凝縮器、切替手段が順次接続され、この切替手段には、冷蔵室用蒸発器と冷凍室用蒸発器とが、各々絞り機構を介して並列に接続された冷凍サイクルを有し、前記冷蔵室用蒸発器、または、前記冷凍室用蒸発器への冷媒流路を前記切替手段によって交互に切替えることによって、前記冷蔵室を冷却する冷蔵冷却モードと前記冷凍室と前記野菜室とを冷却する冷凍冷却モードを交互に行う制御手段を有し、前記冷凍室用蒸発器から前記野菜室へ送る冷気の流量を調整する野菜室用ダンパを有し、前記制御手段は、前記野菜室の庫内設定温度を冷凍保存温度に切り替えたときに、前記野菜室用ダンパによって前記冷凍保存温度に対応するように調整し、また、前記野菜室の庫内設定温度を野菜保存温度に切り替えたときに、前記野菜室用ダンパによって前記野菜保存温度に対応するように調整することを特徴とする冷蔵庫である。
【００１２】
請求項３の発明は、少なくとも冷蔵室、野菜室、冷凍室を有する冷蔵庫において、コンプレッサ、凝縮器、切替手段が順次接続され、この切替手段には、冷蔵室用蒸発器と冷凍室用蒸発器とが、各々絞り機構を介して並列に接続された冷凍サイクルを有し、前記冷蔵室用蒸発器、または、前記冷凍室用蒸発器への冷媒流路を前記切替手段によって交互に切替えることによって、前記冷蔵室を冷却する冷蔵冷却モードと前記冷凍室を冷却する冷凍冷却モードを交互に行う制御手段を有し、前記冷蔵室用蒸発器から前記野菜室へ送る冷気の流量を調整する第１野菜室用ダンパと、前記冷凍室用蒸発器から前記野菜室へ送る冷気の流量を調整する第２野菜室用ダンパを有し、前記制御手段は、前記野菜室の庫内設定温度を冷凍保存温度に切り替えたときに、前記第１野菜室用ダンパを閉状態になし、前記第２野菜室用ダンパによって前記冷凍保存温度に対応するように調整し、また、前記野菜室の庫内設定温度を野菜保存温度に切り替えたときに、前記第１野菜室用ダンパによって前記野菜保存温度に対応するように調整し、前記第２野菜室用ダンパを閉状態にすることを特徴とする冷蔵庫である。
【００１３】
請求項４の発明は、少なくとも冷蔵室、野菜室、冷凍室を有する冷蔵庫において、コンプレッサ、凝縮器、切替手段が順次接続され、この切替手段には、冷蔵室用蒸発器と冷凍室用蒸発器とが、各々絞り機構を介して並列に接続され、前記冷蔵室用蒸発器には野菜室用絞り機構を介して野菜室用蒸発器が接続された冷凍サイクルを有し、前記冷蔵室用蒸発器、または、前記冷凍室用蒸発器への冷媒流路を前記切替手段によって交互に切替えることによって、前記冷蔵室と前記野菜室とを冷却する冷蔵冷却モードと前記冷凍室を冷却する冷凍冷却モードを交互に行う制御手段を有し、前記制御手段は、前記野菜室の庫内設定温度を野菜保存温度に切り替えたときに、前記野菜室用絞り機構を全開にして前記野菜室用蒸発器を前記野菜保存温度に対応した蒸発器温度まで冷却し、前記野菜室の庫内設定温度を冷凍保存温度に切り替えたときに、前記野菜室用絞り機構を絞り前記野菜室用蒸発器を前記冷凍保存温度に対応した蒸発器温度まで冷却することを特徴とする冷蔵庫である。
【００１４】
請求項５の発明は、少なくとも冷蔵室、野菜室、冷凍室を有する冷蔵庫において、二段圧縮コンプレッサの高圧側吐出口と凝縮器が接続され、前記凝縮器に冷媒流路の切替手段が接続され、前記切替手段の第１の出口が第１絞り機構、冷蔵室用蒸発器を経て気液分離手段に接続され、前記気液分離手段のガス出口が中間圧サクションパイプを経て二段圧縮コンプレッサの中間圧側吸込口と接続され、前記気液分離手段の液出口が第２絞り機構の一端に接続され、前記切替手段の第２の出口がバイパス絞り機構の一端に接続され、前記第２絞り機構の他端と前記バイパス絞り機構の他端が冷凍室用蒸発器に接続され、前記冷凍室用蒸発器が低圧サクションパイプを経て二段圧縮コンプレッサの低圧側吸込口に接続された冷凍サイクルを有し、前記冷蔵室用蒸発器、または、前記冷凍室用蒸発器への冷媒流路を前記切替手段によって交互に切替えることによって、前記冷蔵室と前記野菜室とを冷却する冷蔵冷却モードと前記冷凍室を冷却する冷凍冷却モードを交互に行う制御手段を有し、前記冷蔵室用蒸発器から前記冷蔵室へ送る冷気の流量を調整する冷蔵室用ダンパを有し、前記制御手段は、前記野菜室の庫内設定温度を冷凍保存温度に切り替えたときに、前記冷蔵室用蒸発器を前記冷凍保存温度に対応した蒸発器温度まで冷却し、かつ、前記冷蔵室用ダンパによって前記冷蔵室内部の庫内温度を冷蔵保存温度に対応するように調整することを特徴とする冷蔵庫である。
【００１５】
請求項６の発明は、少なくとも冷蔵室、野菜室、冷凍室を有する冷蔵庫において、二段圧縮コンプレッサの高圧側吐出口と凝縮器が接続され、前記凝縮器に冷媒流路の切替手段が接続され、前記切替手段の第１の出口が第１絞り機構、冷蔵室用蒸発器を経て気液分離手段に接続され、前記気液分離手段のガス出口が中間圧サクションパイプを経て二段圧縮コンプレッサの中間圧側吸込口と接続され、前記気液分離手段の液出口が第２絞り機構の一端に接続され、前記切替手段の第２の出口がバイパス絞り機構の一端に接続され、前記第２絞り機構の他端と前記バイパス絞り機構の他端が冷凍室用蒸発器に接続され、前記冷凍室用蒸発器が低圧サクションパイプを経て二段圧縮コンプレッサの低圧側吸込口に接続された冷凍サイクルを有し、前記冷蔵室用蒸発器、または、前記冷凍室用蒸発器への冷媒流路を前記切替手段によって交互に切替えることによって、前記冷蔵室を冷却する冷蔵冷却モードと前記冷凍室と前記野菜室とを冷却する冷凍冷却モードを交互に行う制御手段を有し、前記冷凍室用蒸発器から前記野菜室へ送る冷気の流量を調整する野菜室用ダンパを有し、前記制御手段は、前記野菜室の庫内設定温度を冷凍保存温度に切り替えたときに、前記野菜室用ダンパによって前記冷凍保存温度に対応するように調整し、また、前記野菜室の庫内設定温度を野菜保存温度に切り替えたときに、前記野菜室用ダンパによって前記野菜保存温度に対応するように調整することを特徴とする冷蔵庫である。
【００１６】
請求項７の発明は、少なくとも冷蔵室、野菜室、冷凍室を有する冷蔵庫において、二段圧縮コンプレッサの高圧側吐出口と凝縮器が接続され、前記凝縮器に冷媒流路の切替手段が接続され、前記切替手段の第１の出口が第１絞り機構、冷蔵室用蒸発器を経て気液分離手段に接続され、前記気液分離手段のガス出口が中間圧サクションパイプを経て二段圧縮コンプレッサの中間圧側吸込口と接続され、前記気液分離手段の液出口が第２絞り機構の一端に接続され、前記切替手段の第２の出口がバイパス絞り機構の一端に接続され、前記第２絞り機構の他端と前記バイパス絞り機構の他端が冷凍室用蒸発器に接続され、前記冷凍室用蒸発器が低圧サクションパイプを経て二段圧縮コンプレッサの低圧側吸込口に接続された冷凍サイクルを有し、前記冷蔵室用蒸発器、または、前記冷凍室用蒸発器への冷媒流路を前記切替手段によって交互に切替えることによって、前記冷蔵室を冷却する冷蔵冷却モードと前記冷凍室を冷却する冷凍冷却モードを交互に行う制御手段を有し、前記冷蔵室用蒸発器から前記野菜室へ送る冷気の流量を調整する第１野菜室用ダンパと、前記冷凍室用蒸発器から前記野菜室へ送る冷気の流量を調整する第２野菜室用ダンパを有し、前記制御手段は、前記野菜室の庫内設定温度を冷凍保存温度に切り替えたときに、前記第１野菜室用ダンパを閉状態になし、前記第２野菜室用ダンパによって前記冷凍保存温度に対応するように調整し、また、前記野菜室の庫内設定温度を野菜保存温度に切り替えたときに、前記第１野菜室用ダンパによって前記野菜保存温度に対応するように調整し、前記第２野菜室用ダンパを閉状態にすることを特徴とする冷蔵庫である。
【００１７】
請求項８の発明は、少なくとも冷蔵室、野菜室、冷凍室を有する冷蔵庫において、二段圧縮コンプレッサの高圧側吐出口と凝縮器が接続され、前記凝縮器に冷媒流路の切替手段が接続され、前記切替手段の第１の出口が少なくとも第１絞り機構、冷蔵室用蒸発器を経て気液分離手段に接続され、前記気液分離手段のガス出口が中間圧サクションパイプを経て二段圧縮コンプレッサの中間圧側吸込口と接続され、前記気液分離手段の液出口が第２絞り機構の一端に接続され、前記切替手段の第２の出口がバイパス絞り機構の一端に接続され、前記第２絞り機構の他端と前記バイパス絞り機構の他端が冷凍室用蒸発器に接続され、前記冷凍室用蒸発器が低圧サクションパイプを経て二段圧縮コンプレッサの低圧側吸込口に接続された冷凍サイクルを有し、また、前記冷凍サイクルは、野菜室用絞り機構と野菜室用蒸発器とを有し、前記冷蔵室用蒸発器、または、前記冷凍室用蒸発器への冷媒流路を前記切替手段によって交互に切替えることによって、前記冷蔵室と前記野菜室とを冷却する冷蔵冷却モードと前記冷凍室を冷却する冷凍冷却モードを交互に行う制御手段を有し、前記制御手段は、前記野菜室の庫内設定温度を野菜保存温度に切り替えたときに、前記野菜室用絞り機構を全開にして前記野菜室用蒸発器を前記野菜保存温度に対応した蒸発器温度まで冷却し、前記野菜室の庫内設定温度を冷凍保存温度に切り替えたときに、前記野菜室用絞り機構を絞り前記野菜室用蒸発器を前記冷凍保存温度に対応した蒸発器温度まで冷却することを特徴とする冷蔵庫である。
【００１８】
請求項９の発明は、少なくとも冷蔵室、野菜室、冷凍室を有する冷蔵庫において、二段圧縮コンプレッサの高圧側吐出口と凝縮器が接続され、前記凝縮器に冷媒流路の切替手段が接続され、前記切替手段の第１の出口が少なくとも第１絞り機構、冷蔵室用蒸発器を経て気液分離手段に接続され、前記気液分離手段のガス出口が中間圧サクションパイプを経て二段圧縮コンプレッサの中間圧側吸込口と接続され、前記気液分離手段の液出口が第２絞り機構の一端に接続され、前記切替手段の第２の出口がバイパス絞り機構の一端に接続され、前記第２絞り機構の他端と前記バイパス絞り機構の他端が冷凍室用蒸発器に接続され、前記冷凍室用蒸発器が低圧サクションパイプを経て二段圧縮コンプレッサの低圧側吸込口に接続された冷凍サイクルを有し、また、前記冷凍サイクルは、野菜室用絞り機構と野菜室壁面冷却用蒸発器とを有し、前記冷蔵室用蒸発器、または、前記冷凍室用蒸発器への冷媒流路を前記切替手段によって交互に切替えることによって、前記冷蔵室と前記野菜室とを冷却する冷蔵冷却モードと前記冷凍室を冷却する冷凍冷却モードを交互に行う制御手段を有し、前記制御手段は、前記野菜室の庫内設定温度を野菜保存温度に切り替えたときに、前記野菜室用絞り機構を全開にして前記野菜室壁面冷却用蒸発器を前記野菜保存温度に対応した蒸発器温度まで冷却し、前記野菜室の庫内設定温度を冷凍保存温度に切り替えたときに、前記野菜室用絞り機構を絞り前記野菜室壁面冷却用蒸発器を前記冷凍保存温度に対応した蒸発器温度まで冷却することを特徴とする冷蔵庫である。
【００１９】
【課題を解決するための手段】
請求項１の冷蔵庫であると、野菜室の庫内設定温度を冷凍保存温度に切り替えた時に、冷蔵室用蒸発器を冷凍保存温度に対応した蒸発器温度まで冷却し、かつ、冷凍室用ダンパによって冷凍室内部の庫内温度を冷蔵保存温度に対応するように調整する。
【００２０】
請求項２の冷蔵庫であると、野菜室の庫内設定温度を冷凍保存温度に切り替えた時に、野菜室用ダンパによって冷凍保存温度に対応するように調整し、また、野菜室の庫内設定温度を野菜保存温度に切り替えた時に、野菜室用ダンパによって野菜保存温度に対応するように調整する。
【００２１】
請求項３の冷蔵庫であると、野菜室の庫内設定温度を冷凍保存温度に切り替えた時に、第１野菜室用ダンパを閉じ、第２野菜室用ダンパによって冷凍保存温度に対応するように調整し、また、野菜室の庫内設定温度を野菜保存温度に切り替えた時に、第１野菜室用ダンパによって野菜保存温度に対応するように調整し、第２野菜室用ダンパを閉じておく。
【００２２】
請求項４の冷蔵庫であると、野菜室の庫内設定温度を野菜保存温度に切り替えた時に、野菜室用絞り機構を全開にして、野菜室用蒸発器を野菜保存温度に対応した蒸発器温度まで冷却し、野菜室の庫内設定温度を冷凍保存温度に切り替えた時に、野菜室用絞り機構を絞り野菜室用蒸発器を冷凍保存温度に対応した蒸発器温度まで冷却する。
【００２３】
請求項９の冷蔵庫であると、野菜室の庫内設定温度を野菜保存温度に切り替えた時に、野菜室用絞り機構を全開にして野菜室壁面冷却用蒸発器を野菜保存温度に対応した蒸発器温度まで冷却し、野菜室の庫内設定温度を冷凍保存温度に切り替えた時に、野菜室用絞り機構を絞り野菜室壁面冷却用蒸発器を冷凍保存温度に対応した蒸発器温度まで冷却する。
【００２４】
【発明の実施の形態】
以下、図面を参照しながら本発明の各実施例を具体的に説明する。
【００２５】
（第１の実施例）
第１の実施例について図１と図２に基づいて説明する。
【００２６】
（１）冷蔵庫１の構造
図１は、本実施例を示す間冷式の冷蔵庫１の断面図である。
【００２７】
冷蔵庫１内部は、上段から冷蔵室２、野菜室３、切替室４、冷凍室５が設けられている。また、切替室４の横には、冷凍室５の一部として不図示の製氷室が設けられている。
【００２８】
冷凍室５の背面にある機械室６には、周波数によって能力を可変に調整できるコンプレッサ（例えば、インバータ制御のコンプレッサ）１２が設けられている。
【００２９】
切替室４の背面には、切替室４と冷凍室５を冷却するための冷凍室用蒸発器（以下、Ｆエバという）２６が設けられている。また、切替室４の背面には、Ｆエバ２６からの冷気の流量を調整して、切替室４の庫内温度を設定温度に調整する切替室用ダンパ８が配されている。
【００３０】
野菜室３の背面には、冷蔵室２と野菜室３を冷却するための冷蔵室用蒸発器（以下、Ｒエバという）１８が設けられている。
【００３１】
Ｆエバ２６の上方には、Ｆエバ２６によって冷却された冷気を切替室４と冷凍室５に送風するための送風ファン（以下、Ｆファンという）２７が設けられている。
【００３２】
Ｒエバ１８の上方には、Ｒエバ１８で冷却された冷気を冷蔵室２と野菜室３に送風するための送風ファン（以下、Ｒファンという）１９が設けられている。
【００３３】
野菜室３の天井面、底面、両側面、背面が断熱構造をなし、切替室４との間は完全に仕切られ、野菜室３と冷蔵室２との間には、冷蔵室２への冷気の流入量を調整する冷蔵室用ダンパ（以下、Ｒダンパという）９が設けられている。
【００３４】
冷蔵庫１の天井部後方には、マイクロコンピューターよりなる制御部７が設けられている。この制御部７は、コンプレッサ１２、Ｒファン１９、Ｆファン２７、後述する三方弁１５を制御する。また、野菜室３を野菜保存モードと、冷凍保存モードに切り替えるための操作部１１も制御部７に接続されている。この操作部１１は、冷蔵室２の扉の前面に設けられている。
【００３５】
（２）冷凍サイクル１０の構成
図２は、冷蔵庫１の冷凍サイクル１０である。
【００３６】
コンプレッサ１２から吐出された不燃性冷媒は、凝縮器１４を通った後、絞り調整機構付きの三方弁（例えば、ＰＭＶ（パルスモータバルブ）機能付き三方弁）１５の冷媒切換機構によって冷媒流路が切り替えられる。
【００３７】
この三方弁１５の一方の出口には高圧側キャピラリーチューブ１６とＲエバ１８が順次接続され、三方弁１５の他方の出口には低圧側キャピラリーチューブ２４とＦエバ２６、逆止弁２９が順次接続されている。そして、この三方弁１５は、冷媒を高圧側キャピラリーチューブ１６にのみ送る状態、低圧側キャピラリーチューブ２４にのみ送る状態、どちらにも冷媒を送る全開状態、どちらにも冷媒を送らない全閉状態の４つの状態が実現できる。
【００３８】
Ｒエバ１８の出口配管は、機械室６内で逆止弁２９の出口配管側と合流してコンプレッサ１２の吸込側に繋がっている。
【００３９】
（３）交互冷却運転
まず、冷蔵庫１における交互冷却運転について説明する。
【００４０】
交互冷却運転とは、コンプレッサ１２で圧縮、加圧された高温の冷媒は凝縮器１４で放熱され、それを出た冷媒は三方弁１５に入り、Ｒエバ１８またはＦエバ２６を冷却して下記で説明する冷蔵冷却モード（以下、Ｒモードという）と冷凍冷却モード（以下、Ｆモードという）を交互に行う運転をいう。
【００４１】
（３−１）Ｒモード
Ｒモードでは、三方弁１５を切り替え、高圧側キャピラリチューブ１６に冷媒を流し、Ｒエバ１８で蒸発して、この冷気がＲファン１９によって冷蔵室２と野菜室３に送られ冷却する。蒸発してガス化した冷媒はコンプレッサ１２に戻る。Ｆエバ２６の温度はＲモードの蒸発器温度より低いため、冷媒がＦエバ２６に流れ込み再凝縮しないように逆止弁２９がＦエバ２６側の流路に設置されている。
【００４２】
このＲモードにおいては、野菜室３の庫内設定温度を野菜保存温度に設定した野菜保存モード（＋３℃）と、野菜室３の庫内設定温度を冷凍保存温度（−１８℃）に設定した冷凍保存モードの２種類がある。この切り替えは、前記した冷蔵室２の扉の前面に設けられている操作部１１によって切り替える。
【００４３】
（３−１−１）野菜保存モード
ユーザが操作部１１によって野菜室３を通常の野菜を保存するための野菜保存モードに切り替えたとする。
【００４４】
その場合には、絞り調整機能付きの三方弁１５において、上記したようにＦエバ２６には冷媒を流さないようになし、Ｒエバ１８側に冷媒が多く流れるよう略全開状態にする。すると、Ｒエバ１８における蒸発器温度は−２℃程度の高い温度に設定する。そして、Ｒダンパ９を開いた状態にして、Ｒエバ１８からの冷気をＲファン１９によって冷蔵室２と野菜室３に送り、各部屋に収納されている食品を冷却する。
【００４５】
この場合にＲエバ１８の蒸発器温度は高いため、高湿の冷気を冷蔵室２と野菜室３に送ることができるので、各食品からの水分蒸発量を抑えることができ、各食品の保存性を高めることができる。
【００４６】
（３−１−２）冷凍保存モード
ユーザが操作部１１を操作して、野菜室３に冷凍食品を収納するための冷凍保存モードに設定したとする。
【００４７】
すると、三方弁１５は絞り調整機能を使ってＲエバ１８における蒸発器温度を−１０℃になるように調整する。そして、冷蔵室２の庫内温度を０℃から３℃程度に保持するために、Ｒダンパ９を開閉して、Ｒエバ１８からの冷気の流量を調整する。一方、野菜室３にはＲファン１９によって冷気をそのまま送り込む。これによって、冷蔵室２の庫内温度は冷凍保存温度（０℃から３℃）に保持することができ、野菜室３の庫内温度は冷凍保存温度（−１０℃程度）に保持することができる。
【００４８】
なお、この場合に、コンプレッサ１２の能力を上げることが望ましいため、駆動周波数を上昇させる。
【００４９】
（３−２）Ｆモード
Ｆモードでは、三方弁１５を切り替え、低圧側キャピラリチューブ２４に冷媒が流れるように冷媒流路を切り替え、Ｆエバ２６で蒸発し、逆止弁２９を通りコンプレッサ１２に戻る。Ｆエバ２６における冷気は、Ｆファン２７によって冷凍室５などに送られる。
【００５０】
（３−３）ＲモードとＦモードの切り替えのタイミング
上記のようなＲモードとＦモードを交互に行う場合に、そのモードの切替えは、所定時間毎に行うか、または冷蔵室２の庫内温度ｔｒが庫内上限温度より高くなった場合、または冷凍室５の庫内温度ｔｆが庫内上限温度より高くなった場合に各モードを開始する。
【００５１】
また、冷蔵室２の庫内温度が庫内下限温度より低くなり、かつ、冷凍室５の庫内温度ｔｆが庫内下限温度より低くなるとコンプレッサ１２は停止する。
【００５２】
（４）第１の実施例の効果
以上により本実施例の冷蔵庫１であると、野菜室３を野菜の保存に適した温度と、冷凍食品の保存に適した温度に切り替えることができると共に、冷蔵室における庫内温度を冷蔵保存温度に保持することができ、また、その内部も高湿に保持することができる。
【００５３】
（第２の実施例）
次に、第２の実施例の冷蔵庫１について、図３から図５に基づいて説明する。
（１）冷蔵庫１の構造
本実施例と第１の実施例の冷蔵庫１の構造の相違点は、次の通りである。
【００５４】
本実施例の冷蔵庫１では、冷蔵室２の背面にＲエバ１８が配され、野菜室３とは断熱壁により完全に区画されている。
【００５５】
野菜室３の天井面、背面、底面、両側面は断熱壁によって仕切られているが、底面の後方に野菜室用ダンパ（以下、Ｖダンパという）３０が設けられ、このＶダンパ３０は、Ｆエバ２６によって冷却された冷気がＦファン２７によって送風され、この送風された冷気をその開閉状態によって野菜室３に送るものである。また、このＶダンパ３０からの冷気を野菜室３に確実に送るために野菜室３の背面には野菜室用ダクト３２が設けられている。
【００５６】
なお、第２の実施例における冷凍サイクル１０は、第１の実施例の冷凍サイクル１０と同じ構造を有している。
【００５７】
（２）冷蔵庫１の制御状態
冷蔵室２の庫内温度は、Ｒエバ１８によって調整し、冷凍室５や野菜室３の庫内温度はＦエバ２６によって調整する。
【００５８】
すなわち、野菜室３を野菜保存モードで使用する場合には、Ｖダンパ３０を制御して、Ｆエバ２６からの冷気を調整して野菜保存温度に調整する。
【００５９】
一方、野菜室３を冷凍保存モードで使用する場合には、Ｖダンパ３０を制御して、Ｆエバ２６からの冷気を野菜室３内部に送り込む。この時、冷凍室５だけの冷却よりも多くの冷凍能力を有するためコンプレッサ１２の能力を増大させるために駆動周波数を増大させる。
【００６０】
以下、その制御方法を詳しく説明する。
【００６１】
（３）野菜保存モードで使用する場合
図４のフローチャートに基づいて、野菜室３を野菜保存モードで使用する場合について説明する。
【００６２】
ステップ１において、ＲモードまたはＦモードのどちらかの運転であるかを判断する。Ｒモードであればステップ２に進み、Ｆモードであればステップ５に進。
【００６３】
ステップ２において、Ｒモードであるので、Ｒエバ１８で冷蔵室２を冷却してステップ３に進む。この場合に、三方弁１５は、Ｒエバ１８側に切り替えておく。
【００６４】
ステップ３において、冷凍室５の庫内温度ｔｆが上昇し、庫内上限温度に到達した場合にはステップ４に進む。
【００６５】
ステップ４において、冷蔵室２の庫内温度ｔｒが庫内下限温度より低くなった場合もそれ以上の冷却は必要でないため、Ｆモードに切り替える。
【００６６】
ステップ５において、Ｆモードであるので、Ｆエバ２６で運転し、冷凍室５と野菜室３を冷却する。この場合にＶダンパ３０は野菜保存温度になるように調整する。
【００６７】
ステップ６において、冷蔵室２の庫内温度ｔｒが庫内上限温度まで上昇するとＲモードに移行する。
【００６８】
ステップ７において、冷凍室５の庫内温度ｔｆが庫内下限温度より低くなり、かつ、ステップ８において、冷蔵室２の庫内温度ｔｒが庫内下限温度より低い場合には、ステップ９において、コンプレッサ１２を停止させる。
【００６９】
ステップ１０において、コンプレッサ１２が停止し、冷蔵室２または冷凍室５の庫内温度ｔｒ、ｔｆが庫内上限温度よりも上昇した場合には、ステップ１１において、コンプレッサ１２を駆動させる。
【００７０】
ステップ１２において、コンプレッサ１２を駆動する周波数については、冷蔵室２と冷凍室５の庫内温度と設定温度を見ながら制御する。
【００７１】
（４）冷凍保存モードで使用する場合
次に、野菜室３を冷凍保存モードで使用する場合について図５のフローチャートに基づいて説明する。
【００７２】
ステップ１において、野菜室３の冷凍保存温度である−１８℃以下に設定する。
【００７３】
ステップ２において、ＦモードかＲモードかを判断し、Ｒモードの場合にはステップ３に進み、Ｆモードの場合にはステップ６に進む。
【００７４】
ステップ３において、Ｒモードであるため、ステップ４において三方弁１５をＲエバ側に切り替える。
【００７５】
ステップ５において、冷凍室５の庫内温度ｔｆと冷蔵室２の庫内温度ｔｆを検知しつつＲモードを続け、冷凍室５の庫内温度ｔｆが庫内上限温度より上がった場合には、ステップ６に進む。
【００７６】
ステップ６において、Ｆモードを開始する。
【００７７】
ステップ７において、三方弁１５をＦエバ側に切り替える。そして、Ｖダンパ３０を開く。
【００７８】
ステップ８において、冷蔵室２と冷凍室５の庫内温度ｔｒ、ｔｆを庫内上限温度と比較しながらコンプレッサ１２を制御し、ステップ９に進む。
【００７９】
ステップ９において、冷蔵室２の庫内温度ｔｒが庫内上限温度より上昇した場合にはｒモードに移行する。
【００８０】
ステップ１０において、野菜室３の庫内温度ｔｖが冷凍保存温度より低くなった場合には、ステップ１１に進み、そうでなければステップ７に戻る。
【００８１】
ステップ１１において、野菜室３を冷凍保存温度で冷却を続ける。
【００８２】
（５）第２の実施例の効果
本実施例においても、野菜室３を野菜保存モードと冷凍保存モードに切り替えて使用することができる。
【００８３】
また、冷蔵室２は、Ｒエバ１８によって高い温度でかつ高湿で冷却されているため、食品の保存性を向上させることができる。
【００８４】
（第３の実施例）
第３の実施例について、図６に基づいて説明する。
【００８５】
図６は、第３の実施例の冷蔵庫１の縦断面図である。
【００８６】
（１）冷蔵庫１の構造
冷蔵庫１の構造において、本実施例と第１の実施例の異なる点は、冷蔵室２の背面にＲエバ１８を有し、野菜室３の背面上部には、冷蔵室２と野菜室３を仕切るための高温ダンパ３４を有し、野菜室３の背面下部には冷凍室５と野菜室３を仕切る低温ダンパ３６を有している点にある。
【００８７】
冷凍サイクル１０の構造については、第１の実施例と同様である。
【００８８】
（２）冷蔵庫１の制御方法
冷蔵庫１において野菜室３に野菜を保存する場合には、低温ダンパ３６を閉じ、高温ダンパ３４の開閉状態を調整してＲエバ１８からの冷気を野菜室３に流入させて、野菜室３の庫内温度を野菜保存温度（例えば３℃）に制御する。この場合に、高い温度で冷気を流入させているため、高湿で野菜を保存することができる。
【００８９】
また、野菜室３に冷凍食品を保存する場合には高温ダンパ３４を閉じ、低温ダンパ３６を開閉してＦエバ２６からの冷気を流入させ野菜室３を冷凍保存温度（−１０℃）になるように制御する。これによって、冷凍食品も保存することができる。
【００９０】
なお、冷蔵室２はＲエバ１８によって冷却されているため、高湿の冷気で食品を保存することができる。
【００９１】
（第４の実施例）
次に、第４の実施例について図７と図８に基づいて説明する。
【００９２】
（１）冷蔵庫１の構造
冷蔵庫１の構造において、本実施例の冷蔵庫１と第１の実施例の冷蔵庫１との相違点は、図７に示すように、野菜室３が冷蔵室２及び冷凍室５とも完全に断熱壁で仕切られ、かつ、野菜室３の背面に野菜室用蒸発器（以下、Ｖエバという）３８を有し、Ｖエバ３８の近傍に、野菜室３にＶエバ３８から冷気を送るための野菜室用送風機（以下、Ｖファンという）４０が設けられている点にある。
【００９３】
（２）冷凍サイクル１０の構造
本実施例の冷凍サイクル１０と第１の実施例の冷凍サイクル１０の異なる点は、本実施例ではＶエバ３８が接続されている点にある。
【００９４】
本実施例の冷凍サイクル１０について、図８に基づいて説明する。
【００９５】
冷凍サイクル１０の構造は第１の実施例と上記したように略同様であるが、Ｒエバ１８の出口側の配管に電子膨張弁４２が接続され、この電子膨張弁４２の出口側にＶエバ３８が接続されている。このＶエバ３８の出口側配管と逆止弁２９の出口側配管が合流し、コンプレッサ１２の吸引側に接続されている。
【００９６】
（３）冷蔵庫１の制御方法
本実施例も第１の実施例と同様にＲモードとＦモードを交互に切り替える交互冷却運転を行う。
【００９７】
野菜室３を野菜保存モードで使用する場合には、Ｒモードにおいて、電子膨張弁４２の絞り状態を全開にして、Ｒエバ１８と略同じ蒸発器温度に保ち冷却する。これによって、野菜室３の内部は高湿な状態でかつ野菜保存温度で保持することができる。
【００９８】
野菜室３を冷凍保存モードで使用する場合には、Ｒモードにおいて、電子膨張弁４２を絞り、Ｖエバ３８を−１０℃まで冷却する。その冷却した冷気をＶファン４０によって送風することによって、野菜室３内部を冷凍保存温度に保持することができる。
【００９９】
（４）第４の実施例の効果
本実施例であると冷蔵室２と冷凍室５はＲエバ１８とＦエバ２６によって冷却することができるので、冷蔵室２を高湿の状態で冷却することができる。
【０１００】
また、野菜室３においては専用のＶエバ３８があるため、野菜保存モードにおいては高湿でかつ野菜保存温度で保持することができ、また、冷凍保存モードにおいては冷凍保存温度でその内部を保持することができる。
【０１０１】
（第５の実施例）
第５の実施例について、図１と図９に基づいて説明する。
【０１０２】
（１）冷蔵庫１の構造
冷蔵庫１の構造は、図１に示すように第１の実施例の冷蔵庫１と同じ構造である。
【０１０３】
但し、コンプレッサについては、通常の能力可変型のコンプレッサ１２に代えて、能力可変型の二段圧縮コンプレッサ１３を用いている。
【０１０４】
（２）冷凍サイクル１０の構造
第５の実施例の冷凍サイクル１０の構造について図９に基づいて説明する。
【０１０５】
二段圧縮コンプレッサ１３の高圧側吐出口には凝縮器１４が接続され、凝縮器１４には、絞り調整機構付きの三方弁（例えば、ＰＭＶ機能付き三方弁）１５が接続されている。三方弁１５の第１出口には、高圧側キャピラリーチューブ１６、Ｒエバ１８が順番に接続されている。
【０１０６】
Ｒエバ１８の出口側には、気液分離器２０の冷媒入口部が接続されている。気液分離器２０のガス出口パイプは、中間圧サクションパイプ２２を経て二段圧縮コンプレッサ１３の中間圧側吸込口に接続されている。一方、気液分離器２０の液出口パイプは低圧側キャピラリーチューブ２４に接続されている。そして、前記で説明した三方弁１５の第２出口はバイパスキャピラリーチューブ２５の一端に接続され、このバイパスキャピラリーチューブ２５の他端は低圧側キャピラリーチューブ２４の他端と一緒になってＦエバ２６に接続されている。Ｆエバ２６はさらに低圧サクションパイプ２８を経て二段圧縮コンプレッサ１３の低圧側吸込口に接続されている。
【０１０７】
（３）冷凍サイクル１０のＲモードの動作状態
上記で説明した冷凍サイクル１０において、Ｒモードにおける動作状態を説明する。
【０１０８】
Ｒモードにおいては冷蔵庫１の制御部７は、三方弁１５の第１出口を開状態とし、第２出口を閉状態としている。
【０１０９】
（ａ）二段圧縮コンプレッサ１３によって圧縮された冷媒は高圧側吐出口から吐出される。
【０１１０】
（ｂ）高圧ガス冷媒は、凝縮器１４内部で凝縮され、液冷媒とガス冷媒が存在する二相冷媒となって吐出される。そして、三方弁１５の第１出口１５の方向に流れる。
【０１１１】
（ｃ）この三方弁１５の第１出口から流れた高圧二相冷媒は、高圧側キャピラリーチューブ１６で減圧され、中間圧の二相冷媒となってＲエバ１８に入る。
【０１１２】
（ｄ）Ｒエバ１８内部で冷媒は一部蒸発し、二相状態で気液分離器２０に入り、液冷媒とガス冷媒に分離される。
【０１１３】
（ｅ）気液分離器２０で分離されたガス冷媒は、中間圧サクションパイプ２２を経て二段圧縮コンプレッサ１３の中間圧側吸込口に入り、低圧冷媒と混じる。
【０１１４】
（ｆ）同じく気液分離器２０内部で分離された液冷媒は、低圧側キャピラリーチューブ２４で減圧され、低圧の二相冷媒となってＦエバ２６に入る。
【０１１５】
（ｇ）Ｆエバ２６内部で冷媒は蒸発しガス冷媒となる。
【０１１６】
（ｈ）Ｆエバ２６から流出したガス冷媒は、低圧サクションパイプ２８を経て二段圧縮コンプレッサ１３の低圧側吸込口に入る。
【０１１７】
（ｉ）二段圧縮コンプレッサ１３内部においては、低圧側吸込口から吸い込まれた低圧冷媒は、低圧側圧縮室で中間圧まで加圧され、中間圧側吸込口から吸い込まれた中間圧冷媒と合流及び混合し、高圧側圧縮室で高圧まで加圧され、高圧側吐出口から吐出される。
【０１１８】
このＲモードにおいては、第１の実施例と同様に野菜保存モードと冷凍保存モードの２種類が存在する。操作部１１によってユーザが野菜保存モードを設定した場合には、上記で説明した動作状態において、Ｒエバを約０℃に調整し、冷蔵室２と野菜室３をその容量比で風量分配する。この場合に、その分配はＲダンパ９を用いて行う。
【０１１９】
次に、ユーザが野菜室３を冷凍保存モードにした場合には、三方弁１５の絞りを調整して冷凍保存温度にできるだけ近い低い温度にＲエバ１８の蒸発器温度を下げ、冷蔵室２における庫内温度の調整はＲダンパ９によって行う。
【０１２０】
（４）冷凍サイクル１０におけるＦモード
冷凍室５を冷却する場合には、三方弁１５の第１出口側を閉状態にし第２出口側を開状態にしてバイパスキャピラリーチューブ２５を介してＦエバ２６に冷媒を流す。
【０１２１】
これによって、Ｆエバ２６は冷却されて、冷凍室５内部を冷凍保存温度にまで下げることができる。
【０１２２】
（５）第５の実施例の効果
野菜室３を野菜保存温度で使用する場合は連続冷却で、冷蔵室２、野菜室３、冷凍室５を共に一定温度で冷却することができ、特に、冷蔵室２と野菜室３は８０％以上の高湿度の保存を行うことができる。
【０１２３】
（第６の実施例）
第６の実施例においては、第２の実施例の図３に示す冷蔵庫１の構造に、第５の実施例で説明した二段圧縮コンプレッサ１３を有する冷凍サイクル１０を組み合わせたものである。
【０１２４】
まず、三方弁１５の第１出口側を開状態にし第２出口側を閉状態にする。
【０１２５】
野菜室３を野菜保存モードで使用する場合には、Ｖダンパ３０を制御して、Ｆエバ２６からの冷気を調整するため、野菜室３を野菜保存温度に保持することができ、冷蔵室２はＲエバ１８によって０℃の高温でかつ高湿度で連続冷却することができる。
【０１２６】
また、野菜室３を冷凍保存モードで使用する場合には、Ｖダンパ３０を制御して、Ｆエバ２６からの冷気を野菜室３に多量に流入させる。この時、二段圧縮コンプレッサ１３の能力を増加させる。また、冷蔵室２はＲエバ１８で０℃の高温度高湿度で連続冷却を行う。
【０１２７】
なお、この冷凍サイクル１０の冷却の基本は、この第１出口側を開状態にし第２出口側を閉状態にしている状態であるが、三方弁１８の第１出口側を閉状態にし第２出口側を開状態にしてバイパスキャピラリーチューブ２５を用いる場合は、冷蔵室２を冷やすことなく、冷凍室５及び野菜室３を冷やす場合にのみ使用する。
【０１２８】
（２）第６の実施例の効果
本実施例であると、冷蔵室２、野菜室３及び冷凍室５を連続同時冷却することができ、冷蔵室２は独立冷却で常時高湿の８０％以上の冷却保存を行うことができる。
【０１２９】
また、野菜室３を野菜保存モードと冷凍保存モードに切り替えることができる。
【０１３０】
（第７の実施例）
本実施例の冷蔵庫１の構造は、第３の実施例の図６における冷蔵庫１と同じ構造であり、この構造の冷蔵庫１に第５の実施例で説明した二段圧縮コンプレッサ１３を使用した冷凍サイクル１０を組み合わせたものである。
【０１３１】
（２）冷凍サイクル１０の動作状態
野菜室３を野菜保存モードで使用する場合には、Ｒエバ１８を用いて冷却するため、高温ダンパ３４を開とし、低温ダンパ３６を閉状態とする。
【０１３２】
野菜室３を冷凍保存モードとして使用する場合には、高温ダンパを閉とし、低温ダンパを開とし、Ｆエバ２６で野菜室３を冷凍保存温度まで冷却する。
【０１３３】
（３）第７の実施例の効果
本実施例であると、野菜室３を冷凍保存温度まで冷却できる。また、野菜保存モードにおいては、野菜室３と冷蔵室２及び冷凍室５を連続一定冷却することができ、冷蔵室２及び野菜室３は８０％以上の高湿で保存することができる。
【０１３４】
（第８の実施例）
第８の実施例について、図１０に基づいて説明する。
【０１３５】
（１）冷蔵庫１の構造
冷蔵庫１の構造は、第４の実施例における図７に示した冷蔵庫１と同様である。
【０１３６】
（２）冷凍サイクル１０の構造
冷凍サイクル１０は、第５の実施例で説明した二段圧縮コンプレッサ１３を有する冷凍サイクル１０において、更にＶエバ３８を有したものである。
【０１３７】
すなわち、Ｒエバ１８の出口側配管に第１電子膨張弁４４を設け、この出口側に前記したＶエバ３８を接続し、このＶエバ３８の出口側配管に第２電子膨張弁４６を接続し、第２の電子膨張弁４６の出口側をＦエバ２６に接続したものである。
【０１３８】
（３）冷凍サイクル１０の動作状態
野菜室３を野菜保存モードで使用する場合には、Ｖエバ３８は第１電子膨張弁４４を全開とし、Ｒエバ１８の蒸発器温度と同じ温度に保ち、第２の電子膨張弁４６を調整してＦエバ２６で冷凍室５を冷凍保存温度に冷却する。
【０１３９】
野菜室３を冷凍保存モードで使用する場合には、Ｖエバ３８の蒸発器温度は第１電子膨張弁４４の絞り開度を絞り、冷凍保存温度まで冷却し、第２電子膨張弁４６はＦエバ２６が冷凍室５を冷凍するのに必要な温度となるように弁開度を調整する。これによって、同時に冷凍室５、冷蔵室２、野菜室３を冷却することができる。
【０１４０】
なお、二段圧縮コンプレッサ１３は、野菜室３を冷凍保存モードで使用する場合にはその能力を増加させる。
【０１４１】
（４）第８の実施例の効果
本実施例であると専用のＶエバ３８で野菜室３を冷凍保存温度で高湿に保存することができ、また、冷凍保存モードにおいても一定温度に連続冷却でき、かつ、冷凍室５、冷蔵室２、野菜室３の全ての保存性を向上させることができる。
【０１４２】
なお、冷凍室５のみを冷却する場合には、バイパスキャピラリーチューブ２５を介したパイパス回路を使用することで冷凍室５のみを冷却できる。
【０１４３】
（第９の実施例）
第９の実施例について、図１１に基づいて説明する。
【０１４４】
（１）冷蔵庫１の構造
冷蔵庫１の構造は、第４の実施例における図７で示した冷蔵庫１と同様である。
【０１４５】
（２）冷凍サイクル１０の構造
本実施例の冷凍サイクル１０は、第５の実施例の冷凍サイクル１０において、更にＶエバ３８を設けた点にある。
【０１４６】
すなわち、図１１の冷凍サイクル１０に示すように、三方弁１５に代えて、絞り調整機能付きの四方弁４８を用い、第３の出口に野菜室用キャピラリーチューブ３７、Ｖエバ３８を接続し、このＶエバ３８に野菜室用の絞り調整機構が付いたＰＭＶ５０を接続し、更にこのＰＭＶ５０の出口を二段圧縮コンプレッサ１３の低圧側吸込口に接続する。
【０１４７】
（３）第９の実施例の効果
本実施例であっても、専用のＶエバ３８を用いることにより、野菜室３を野菜保存モードと冷凍保存モードに切り替えて使用することができる。
【０１４８】
（第１０の実施例）
第１０の実施例について、図１２に基づいて説明する。
【０１４９】
本実施例と第９の実施例の異なる点は、Ｖエバ３８に代えて、野菜室３の壁面内部に冷却パイプを内蔵した野菜室壁面冷却用蒸発器（以下、Ｖ壁面エバという）５２を用いた点にある。
【０１５０】
本実施例であっても、Ｖ壁面エバ５２によって野菜室３内部を野菜保存モードと冷凍保存モードに切り替えることができ、かつ、野菜室３内部では直冷式となるため、その内部を高湿で保持することができる。
【０１５１】
（第１１の実施例）
第１１の実施例について、図１３に基づいて説明する。
【０１５２】
本実施例と第９の実施例の異なる点は、第９の実施例ではＶエバ３８のみを設けたが、本実施例ではこれに代えてＶエバ３８とＶ壁面エバ５２を直列に接続したものである。
【０１５３】
（第１２の実施例）
第１２の実施例について、図１４に基づいて説明する。
【０１５４】
本実施例と第１１の実施例の異なる点は、Ｆエバ２６をＲエバ１８と直列に接続するのでなく、並列に接続した点にある。
【０１５５】
（第１３の実施例）
第１３の実施例について、図１５に基づいて説明する。
【０１５６】
本実施例では、二段圧縮コンプレッサ１３の高圧側の出口側に凝縮器１４を設け、この凝縮器１４の次に二分配の分配器（気液分離器）５４を接続し、一方にＶエバ３８を接続し、他方にＲエバ１８を接続したものである。
【０１５７】
そして、Ｖエバ３８の出口側は二段圧縮コンプレッサ１３の低圧側吸引口と中間圧側吸込口にそれぞれ接続されている。
【０１５８】
（第１４の実施例）
図１６は、本実施例の冷凍サイクル１０を示したものである。
【０１５９】
本実施例と第１３の実施例の異なる点は、第１３の実施例ではＲエバ１８とＦエバ２６を直列に接続したが、本実施例では並列に接続したものである。
【０１６０】
また、第１３の実施例ではＲエバ１８に第２の分配器（気液分離器）５６を介してＦエバ２６が直列に接続されている。
【０１６１】
（変更例）
冷媒は、不燃性冷媒に限らず、自然冷媒、非共沸混合冷媒でもよい。
【０１６２】
【発明の効果】
以上により本発明の冷蔵庫であると、野菜室を野菜保存モードと冷凍保存モードに切り替えて使用することができ、また、野菜保存モードにおいて使用する場合には高湿な状態で野菜等を保存することができる。
【図面の簡単な説明】
【図１】本発明の第１の実施例を示す冷蔵庫の縦断面図である。
【図２】第１の実施例の冷凍サイクルの構成図である。
【図３】第２の実施例の冷蔵庫の縦断面図である。
【図４】第２の実施例における野菜保存モードのフローチャートである。
【図５】第２の実施例における冷凍保存モードのフローチャートである。
【図６】第３の実施例の冷蔵庫の縦断面図である。
【図７】第４の実施例の冷蔵庫の縦断面図である。
【図８】第４の実施例の冷凍サイクルの構成図である。
【図９】第５の実施例の冷凍サイクルの構成図である。
【図１０】第８の実施例の冷凍サイクルの構成図である。
【図１１】第９の実施例の冷凍サイクルの構成図である。
【図１２】第１０の実施例の冷凍サイクルの構成図である。
【図１３】第１１の実施例の冷凍サイクルの構成図である。
【図１４】第１２の実施例の冷凍サイクルの構成図である。
【図１５】第１３の実施例の冷凍サイクルの構成図である。
【図１６】第１４の実施例の冷凍サイクルの構成図である。
【符号の説明】
１　冷蔵庫
２　冷蔵室
３　野菜室
４　切替室
５　冷凍室
６　機械室
７　制御部
８　切替室用ダンパ
９　冷蔵室用ダンパ
１０　冷凍サイクル
１１　操作部
１２　コンプレッサ
１３　二段圧縮コンプレッサ
１４　凝縮器
１５　三方弁
１６　高圧側キャピラリーチューブ
１８　Ｒエバ
１９　Ｒファン
２０　気液分離器
２２　中間圧サクションパイプ
２４　低圧側キャピラリーチューブ
２５　バイパスキャピラリーチューブ
２６　Ｆエバ
２７　Ｆファン
２８　低圧サクションパイプ
２９　逆止弁
【図１】
2004077058.tif 000003
【図２】
2004077058.tif 000004
【図３】
2004077058.tif 000005
【図４】
2004077058.tif 000006
【図５】
2004077058.tif 000007
【図６】
2004077058.tif 000008
【図７】
2004077058.tif 000009
【図８】
2004077058.tif 000010
【図９】
2004077058.tif 000011
【図１０】
2004077058.tif 000012
【図１１】
2004077058.tif 000013
【図１２】
2004077058.tif 000014
【図１３】
2004077058.tif 000015
【図１４】
2004077058.tif 000016
【図１５】
2004077058.tif 000017
【図１６】
2004077058.tif 000018